【手続補正書】
【提出日】平成27年11月30日(2015.11.30)
【手続補正１】
【補正対象書類名】特許請求の範囲
【補正対象項目名】請求項４
【補正方法】変更
【補正の内容】
【請求項４】
以下の条件を満足することを特徴とする請求項１から３のいずれか一項に記載のズームレンズ。
０．８５  ＜  ｆ２  ／（ｆｗ×ｆｔ）１／２  ＜  １．１０
但し、
ｆ２  ：前記第２レンズ群の焦点距離
ｆｗ  ：広角端状態における前記ズームレンズの焦点距離
ｆｔ  ：望遠端状態における前記ズームレンズの焦点距離
【手続補正２】
【補正対象書類名】明細書
【補正対象項目名】００２３
【補正方法】変更
【補正の内容】
【００２３】
また、本願のズームレンズは、以下の条件式（２）を満足することが望ましい。
（２）  ０．８５  ＜  ｆ２  ／（ｆｗ×ｆｔ）１／２  ＜  １．１０
但し、ｆ２は前記第２レンズ群の焦点距離、ｆｗは広角端状態における前記ズームレンズの焦点距離、ｆｔは望遠端状態における前記ズームレンズの焦点距離である。
【手続補正３】
【補正対象書類名】明細書
【補正対象項目名】００７０
【補正方法】変更
【補正の内容】
【００７０】
（表１）第１実施例
[面データ]
面番号          ｒ       ｄ     ｎｄ     νｄ
物面           ∞
1          21.1989   1.10   1.85135   40.10
＊2           7.5975   4.41   1.00000
3         -52.6643   0.80   1.49782   82.57
4          42.3237   0.84   1.00000
5          15.6071   1.68   1.84666   23.78
6          32.7790   可変   1.00000
7(絞りS)     ∞      0.65   1.00000
8          37.1408   1.47   1.65844   50.84
9         -29.0801   0.10   1.00000
10           9.6037   2.76   1.59319   67.90
11         -14.5302   3.16   1.74400   44.81
12           9.7023   1.83   1.00000
13          31.5814   0.80   1.90265   35.73
14           9.1997   2.75   1.58913   61.22
15         -15.6188   可変   1.00000
16            ∞      2.79   1.51680   63.88
17            ∞      2.11   1.00000
像面           ∞
［非球面データ］
面番号     κ         A4            A6            A8            A10
2     0.7566  -3.95310E-07  -6.33270E-08   1.17320E-09  -1.39090E-10
［各種データ］
変倍比         2.35
Ｗ          Ｍ          Ｔ
ｆ            11.35       17.00       26.71
ＦＮＯ         3.64        4.38        5.77
２ω          73.6°      51.2°      33.4°
Ｙ             8.00        8.00        8.00
ＴＬ          59.8037     56.6351     59.8037
空気換算ＴＬ  58.8531     55.6845     58.8531
ＢＦ          20.0378     25.5878     35.1214
空気換算ＢＦ  19.0872     24.6372     34.1708
Ｗ          Ｍ          Ｔ
d6            17.4158      8.6974      2.3323
d15           15.1378     20.6878     30.2214
［レンズ群データ］
群    始面        ｆ
1       1       -17.41
2       8        17.10
［条件式対応値］
（１） Ｓ２／ＴＬｗ ＝ 0.215
（２） ｆ２／（ｆｗ×ｆｔ）１／２＝ 0.982
（３） ｆＬ１／ｆ１ ＝ 0.830
（４） Ｓ１／ＴＬｗ ＝ 0.148
（５） ｎｄＬｉ ＝ 1.903（Ｌ７）
【手続補正４】
【補正対象書類名】明細書
【補正対象項目名】００８１
【補正方法】変更
【補正の内容】
【００８１】
以下の表２に、本実施例に係るズームレンズの諸元の値を掲げる。
（表２）第２実施例
[面データ]
面番号          ｒ       ｄ     ｎｄ     νｄ
物面           ∞
1          27.6355   1.10   1.85135   40.10
＊2           7.6407   3.86   1.00000
3        -150.2962   1.00   1.59319   67.90
4          31.0526   0.55   1.00000
5          15.2311   1.93   1.78472   25.64
6          55.6807   可変   1.00000
7(絞りS)     ∞      1.00   1.00000
8          27.1591   1.47   1.69680   55.52
9         -42.3201   0.10   1.00000
10           9.7355   4.49   1.59319   67.90
11         -14.9453   1.00   1.79952   42.09
12           9.9794   2.29   1.00000
13          34.1656   1.00   1.95400   33.46
14           9.1459   2.31   1.65844   50.84
15         -16.2105   可変   1.00000
16            ∞      2.79   1.51680   63.88
17            ∞      2.11   1.00000
像面           ∞
［非球面データ］
面番号     κ         A4            A6            A8            A10
2     0.7876  -2.07080E-05  -6.78850E-07   6.59940E-09  -3.36460E-10
［各種データ］
変倍比         2.35
Ｗ          Ｍ          Ｔ
ｆ            11.35       17.30       26.70
ＦＮＯ         3.65        4.39        5.77
２ω          75.1°      51.6°      34.3°
Ｙ             8.20        8.20        8.20
ＴＬ          59.6000     56.3856     59.6000
空気換算ＴＬ  58.6494     55.4350     58.6494
ＢＦ          20.2437     26.1597     35.5059
空気換算ＢＦ  19.2931     25.2091     34.5553
Ｗ          Ｍ          Ｔ
d6            17.2621      8.1318      2.0000
d15           15.3437     21.2597     30.6059
［レンズ群データ］
群    始面        ｆ
1       1        -17.41
2       8         17.31
［条件式対応値］
（１） Ｓ２／ＴＬｗ ＝ 0.212
（２） ｆ２／（ｆｗ×ｆｔ）１／２＝ 0.994
（３） ｆＬ１／ｆ１ ＝ 0.731
（４） Ｓ１／ＴＬｗ ＝ 0.142
（５） ｎｄＬｉ ＝ 1.954（Ｌ７）
【手続補正５】
【補正対象書類名】明細書
【補正対象項目名】００９１
【補正方法】変更
【補正の内容】
【００９１】
以下の表３に、本実施例に係るズームレンズの諸元の値を掲げる。
（表３）第３実施例
[面データ]
面番号          ｒ       ｄ     ｎｄ     νｄ
物面           ∞
1          20.9555   1.10   1.85135   40.14
＊2           7.6934   4.31   1.00000
3         -73.1411   0.84   1.49782   82.56
4          25.3734   1.02   1.00000
5          15.7101   1.69   2.00069   25.47
6          31.1165   可変   1.00000
7(絞りS)     ∞      0.65   1.00000
8          40.2590   1.43   1.69680   55.52
9         -31.7401   0.10   1.00000
10           9.8087   3.12   1.59319   67.94
11         -14.5256   2.80   1.74400   44.82
12          10.5639   1.73   1.00000
13          27.6157   1.00   1.95000   29.39
14           8.6732   2.76   1.58267   46.46
15         -15.6920   可変   1.00000
16            ∞      2.79   1.51680   63.88
17            ∞      2.11   1.00000
像面           ∞
［非球面データ］
面番号     κ         A4            A6            A8            A10
2     0.1520   1.66840E-04   1.76430E-06  -9.16880E-09   3.34540E-10
［各種データ］
変倍比         2.35
Ｗ          Ｍ          Ｔ
ｆ            11.35       17.30       26.70
ＦＮＯ         3.64        4.57        5.80
２ω          75.0°      51.5°      34.2°
Ｙ             8.20        8.20        8.20
ＴＬ          59.8881     56.7244     59.8834
空気換算ＴＬ  58.9375     55.7738     58.9328
ＢＦ          19.9000     25.7174     34.9080
空気換算ＢＦ  18.9494     24.7668     33.9574
Ｗ          Ｍ          Ｔ
d6            17.4426      8.4614      2.4299
d15           15.0000     20.8174     30.0080
［レンズ群データ］
群    始面        ｆ
1       1       -17.41
2       8        17.02
［条件式対応値］
（１） Ｓ２／ＴＬｗ ＝ 0.216
（２） ｆ２／（ｆｗ×ｆｔ）１／２＝ 0.978
（３） ｆＬ１／ｆ１ ＝ 0.853
（４） Ｓ１／ＴＬｗ ＝ 0.150
（５） ｎｄＬｉ ＝ 1.950（Ｌ７）
【手続補正６】
【補正対象書類名】明細書
【補正対象項目名】０１０１
【補正方法】変更
【補正の内容】
【０１０１】
以下の表４に、本実施例に係るズームレンズの諸元の値を掲げる。
（表４）第４実施例
[面データ]
面番号          ｒ       ｄ     ｎｄ     νｄ
物面           ∞
1            ∞      1.00   1.51680   63.88
2            ∞      2.00   1.00000
3          22.1410   1.10   1.85135   40.14
＊4           7.6618   4.23   1.00000
5         -97.7669   0.80   1.49782   82.57
6          29.9606   0.84   1.00000
7          14.8029   1.77   1.84666   23.80
8          30.8037   可変   1.00000
9(絞りS)     ∞      0.65   1.00000
10          35.5510   1.46   1.63854   55.34
11         -30.6717   0.10   1.00000
12           9.6339   2.77   1.59319   67.90
13         -15.0148   3.28   1.74400   44.80
14           9.8040   1.78   1.00000
15          28.6661   1.00   1.90366   31.27
16           8.5586   2.77   1.61772   49.78
17         -17.3121   可変   1.00000
18            ∞      2.79   1.51680   63.88
19            ∞      2.11   1.00000
像面           ∞
［非球面データ］
面番号     κ         A4            A6            A8            A10
4     0.7721  -7.96219E-06   8.08394E-08  -3.39865E-09  -1.43235E-10
［各種データ］
変倍比         2.35
Ｗ          Ｍ          Ｔ
ｆ            11.35       17.40       26.71
ＦＮＯ         3.63        4.56        5.77
２ω          75.0°      51.4°      34.2°
Ｙ             8.19        8.19        8.19
ＴＬ          59.9000     56.7320     59.9056
空気換算ＴＬ  58.9494     55.7821     58.9493
ＢＦ          19.9000     25.8271     34.9480
空気換算ＢＦ  18.9494     24.8765     33.9974
Ｗ          Ｍ          Ｔ
d8            17.4708      8.37574     2.42841
d17           15.0000     20.92712    30.04804
［レンズ群データ］
群    始面        ｆ
1       3       -17.41
2      10        17.05
［条件式対応値］
（１） Ｓ２／ＴＬｗ ＝ 0.220
（２） ｆ２／（ｆｗ×ｆｔ）１／２＝ 0.980
（３） ｆＬ１／ｆ１ ＝ 0.819
（４） Ｓ１／ＴＬｗ ＝ 0.146
（５） ｎｄＬｉ ＝ 1.904（Ｌ７）
【手続補正７】
【補正対象書類名】明細書
【補正対象項目名】０１１１
【補正方法】変更
【補正の内容】
【０１１１】
以下の表５に、本実施例に係るズームレンズの諸元の値を掲げる。
（表５）第５実施例
[面データ]
面番号          ｒ       ｄ     ｎｄ     νｄ
物面           ∞
1          21.8349   1.10   1.85135   40.10
＊2           6.9683   3.58   1.00000
3         232.0289   1.00   1.75700   47.73
4          29.0118   0.60   1.00000
5          13.9434   1.92   1.84666   23.78
6          38.9245   可変   1.00000
7(絞りS)     ∞      1.00   1.00000
8          33.9295   1.47   1.67790   55.35
9         -31.2393   0.10   1.00000
10           8.7609   3.86   1.59319   67.90
11         -15.0893   1.00   1.79952   42.09
12           9.7880   2.30   1.00000
13          34.5787   1.00   1.90366   31.27
14           8.1693   2.33   1.61266   44.46
15         -14.8870   可変   1.00000
16            ∞      2.79   1.51680   63.88
17            ∞      2.11   1.00000
像面           ∞
［非球面データ］
面番号     κ         A4            A6            A8            A10
2     -0.8415  5.64840E-04   -1.28470E-06  3.29740E-08    5.58720E-11
［各種データ］
変倍比         2.35
Ｗ          Ｍ          Ｔ
ｆ            11.35       17.30       26.71
ＦＮＯ         3.59        4.40        5.78
２ω          73.0°      51.0°      34.1°
Ｙ             8.20        8.20        8.20
ＴＬ          58.4836     55.3260     58.4795
空気換算ＴＬ  57.5330     54.3754     57.5289
ＢＦ          20.1001     25.9034     35.0772
空気換算ＢＦ  19.1495     24.3528     34.1266
Ｗ          Ｍ          Ｔ
d6            17.1169      8.1560      2.1357
d15           15.2001     21.0034     30.1772
［レンズ群データ］
群    始面        ｆ
1       1       -17.41
2       8        16.98
［条件式対応値］
（１） Ｓ２／ＴＬｗ ＝ 0.206
（２） ｆ２／（ｆｗ×ｆｔ）１／２＝ 0.975
（３） ｆＬ１／ｆ１ ＝ 0.715
（４） Ｓ１／ＴＬｗ ＝ 0.140
（５） ｎｄＬｉ ＝ 1.904（Ｌ７）